(57)【特許請求の範囲】
【請求項１】
缶胴の開口に取り付けられるパネルと、
前記パネルの一方の面側に形成され、当該パネルの厚み方向に沿う一方向に向かって突出した突出部と、
前記パネルの前記一方の面に対向するように且つ予め定められた方向に沿うように配置されるとともに、被固定部分が当該パネルに固定され、当該予め定められた方向における一方の端部に第１の側辺を有し他方の端部に第２の側辺を有するとともに、当該予め定められた方向に沿う領域が当該パネルから離れる方向に向かって突出して形成され、当該第１の側辺側がユーザにより持ち上げられることで、当該第２の側辺が当該パネルの前記突出部に向かって進出するとともに当該突出部に突き当たり、当該第２の側辺にて当該パネルを押圧するタブと、
を備え、
前記一方向における位置を比較した場合において、前記突出部の頂部の位置と、前記被固定部分の位置とが異なっており、当該頂部の方が当該被固定部分よりも当該一方向における下流側に位置する缶蓋。
【請求項２】
突出部を表面に備え、缶胴の開口に取り付けられるパネルと、
前記パネルの前記表面に対向するように且つ一方向に沿うように配置され、当該一方向における一方の端部に第１の側辺を有し他方の端部に第２の側辺を有するとともに、当該一方向に沿う領域が当該パネルから離れる方向に向かって突出して形成され、当該第１の側辺側がユーザにより持ち上げられることで、当該第２の側辺が当該パネルの前記突出部に向かって進出するとともに当該突出部に突き当たり、当該第２の側辺にて当該パネルを押圧するタブと、
を備え、
前記タブの前記領域は、前記第１の側辺から前記第２の側辺にかけて配置され、当該第１の側辺から当該第２の側辺にかけて配置された当該領域が、前記パネルから離れる方向に向かって突出している缶蓋。
【請求項３】
前記第２の側辺のうちの前記突出部に接触する部位は、前記タブの前記第１の側辺側がユーザにより持ち上げられる前、当該突出部から離れた箇所に配置されているとともに前記パネルから離間した状態で配置され、当該タブの当該第１の側辺側がユーザにより持ち上げられることで当該パネルに接近するように進出し当該パネルの当該突出部に接触することを特徴とする請求項２に記載の缶蓋。
【請求項４】
前記タブの前記領域が前記パネルから離れる方向に向かって突出することによって、当該タブには、前記一方向に沿う溝が形成され、
前記溝の幅が前記突出部の径よりも大きくなるように当該溝および当該突出部は形成されていることを特徴とする請求項２乃至３の何れかに記載の缶蓋。
【請求項５】
突出部を表面に備え、缶胴の開口に取り付けられるパネルと、
前記パネルの前記表面に対向するように且つ一方向に沿うように配置され、当該一方向における一方の端部に第１の側辺を有し他方の端部に第２の側辺を有するとともに、当該一方向に沿う領域が当該パネルから離れる方向に向かって突出して形成され、当該第１の側辺側がユーザにより持ち上げられることで、当該第２の側辺が当該パネルの前記突出部に向かって進出するとともに当該突出部に突き当たり、当該第２の側辺にて当該パネルを押圧するタブと、
を備え、
前記タブの前記領域が前記パネルから離れる方向に向かって突出することによって、当該タブの一方の面側には、前記一方向に沿うように設けられ当該一方の面から突出するタブ側突出部が形成され、
前記タブは、前記第１の側辺側がユーザにより持ち上げられることで予め定められた箇所を中心に回転し、表裏が反転され、
前記タブの前記表裏の反転によって、当該タブの前記一方の面が前記パネルに対向するようになるとともに、当該一方の面側に形成された前記タブ側突出部の一部が当該パネルの周縁に対峙するようになり、
前記タブ側突出部の前記一部の前記一方の面からの突出量が、当該タブ側突出部の長手方向における一端部の突出量および当該タブ側突出部の長手方向における他端部の突出量よりも小さい缶蓋。
【請求項６】
突出部を表面に備え、缶胴の開口に取り付けられるパネルと、
前記パネルの前記表面に対向するように且つ一方向に沿うように配置され、当該一方向における一方の端部に第１の側辺を有し他方の端部に第２の側辺を有するとともに、当該一方向に沿う領域が当該パネルから離れる方向に向かって突出して形成され、当該第１の側辺側がユーザにより持ち上げられることで、当該第２の側辺が当該パネルの前記突出部に向かって進出するとともに当該突出部に突き当たり、当該第２の側辺にて当該パネルを押圧するタブと、
前記タブを前記パネルに固定するリベットと、
を備え、
前記パネルを正面から且つ前記タブが取り付けられている側から眺めた場合において、当該タブの前記第２の側辺は、前記一方向と直交する直線であって前記リベットを通る直線よりも前記第１の側辺側に設けられている缶蓋。
【請求項７】
開口部を有し飲料が内部に収容された缶本体と、当該缶本体の当該開口部を塞ぐ缶蓋と、を備え、
前記缶蓋は、
突出部を表面に備え、前記缶本体の前記開口部に取り付けられるパネルと、
前記パネルの前記表面に対向するように且つ一方向に沿うように配置され、当該一方向における一方の端部に第１の側辺を有し他方の端部に第２の側辺を有するとともに、当該一方向に沿う領域が当該パネルから離れる方向に向かって突出して形成され、当該第１の側辺側がユーザにより持ち上げられることで、当該第２の側辺が当該パネルの前記突出部に向かって進出するとともに当該突出部に突き当たり、当該第２の側辺にて当該パネルを押圧するタブと、
前記タブを前記パネルに固定するリベットと、
を備え、
前記パネルを正面から且つ前記タブが取り付けられている側から眺めた場合において、当該タブの前記第２の側辺は、前記一方向と直交する直線であって前記リベットを通る直線よりも前記第１の側辺側に設けられている飲料缶。
【請求項８】
前記パネルを正面から且つ前記タブが取り付けられている側から眺めた場合において、当該タブの前記第２の側辺は、前記一方向と直交する方向に沿うように形成されているとともに直線状に形成されていることを特徴とする請求項７記載の飲料缶。
【請求項９】
前記タブの前記第１の側辺には、切り欠きが形成されていることを特徴とする請求項７又は８に記載の飲料缶。
【発明の詳細な説明】
【技術分野】
【０００１】
本発明は、缶蓋および飲料缶に関する。
【背景技術】
【０００２】
容器に形成された開口片と、２点で支持されるプルトップリングとから成り、開口片の一方の長手側縁に沿って開口片を押し下げ開口する押下バーをプルトップリングに設けたプルトップが提案されている（例えば、特許文献１参照）。
【先行技術文献】
【特許文献】
【０００３】
【特許文献１】特開平９−４８４３５号公報
【発明の概要】
【発明が解決しようとする課題】
【０００４】
現在広く用いられている飲料缶にはタブが取り付けられていることが多く、飲み口となる開口が形成される際には、このタブがユーザにより操作され、飲料缶のうちのタブにより押圧される被押圧部が、飲料缶の内部方向へ押し込まれる。これにより、この被押圧部の位置する箇所に開口が形成される。ここで、タブに対して突出片を設けるなどしてタブの一部が飲料缶の内部に深く入るようにすれば、上記被押圧部の押し込み量を大きくすることができ、飲み口となる開口を大きくすることが可能となる。ところでこのように突出片などを形成した場合、タブの曲がりが生じやすくなってしまう。
本発明の目的は、タブの曲がりを生じさせずに缶蓋のうちの開口となる部分を飲料缶の内部に深く押し込むことが可能な缶蓋等を提供することにある。
【課題を解決するための手段】
【０００５】
本発明が適用される缶蓋は、突出部を表面に備え、缶胴の開口に取り付けられるパネルと、前記パネルの前記表面に対向するように且つ一方向に沿うように配置され、当該一方向における一方の端部に第１の側辺を有し他方の端部に第２の側辺を有するとともに、当該一方向に沿う領域が当該パネルから離れる方向に向かって突出して形成され、当該第１の側辺側がユーザにより持ち上げられることで、当該第２の側辺が当該パネルの前記突出部に向かって進出するとともに当該突出部に突き当たり、当該第２の側辺にて当該パネルを押圧するタブと、を備える缶蓋である。      
【０００６】
ここで、前記タブの前記領域は、前記第１の側辺から前記第２の側辺にかけて配置され、当該第１の側辺から当該第２の側辺にかけて配置された当該領域が、前記パネルから離れる方向に向かって突出していることを特徴とすることができる。
また、前記第２の側辺のうちの前記突出部に接触する部位は、前記タブの前記第１の側辺側がユーザにより持ち上げられる前、当該突出部から離れた箇所に配置されているとともに前記パネルから離間した状態で配置され、当該タブの当該第１の側辺側がユーザにより持ち上げられることで当該パネルに接近するように進出し当該パネルの当該突出部に接触することを特徴とすることができる。
さらに、前記タブの前記領域が前記パネルから離れる方向に向かって突出することによって、当該タブには、前記一方向に沿う溝が形成され、前記溝の幅が前記突出部の径よりも大きくなるように当該溝および当該突出部は形成されていることを特徴とすることができる。
また、前記タブの前記領域が前記パネルから離れる方向に向かって突出することによって、当該タブの一方の面側には、前記一方向に沿うように設けられ当該一方の面から突出するタブ側突出部が形成され、前記タブは、前記第１の側辺側がユーザにより持ち上げられることで予め定められた箇所を中心に回転し、表裏が反転され、前記タブの前記表裏の反転によって、当該タブの前記一方の面が前記パネルに対向するようになるとともに、当該一方の面側に形成された前記タブ側突出部の一部が当該パネルの周縁に対峙するようになり、前記タブ側突出部の前記一部の前記一方の面からの突出量が、当該タブ側突出部の長手方向における一端部の突出量および当該タブ側突出部の長手方向における他端部の突出量よりも小さいことを特徴とすることができる。      
【０００７】
また本発明を飲料缶と捉えた場合、本発明が適用される飲料缶は、開口部を有し飲料が内部に収容された缶本体と、当該缶本体の当該開口部を塞ぐ缶蓋と、を備え、前記缶蓋は、突出部を表面に備え、前記缶本体の前記開口部に取り付けられるパネルと、前記パネルの前記表面に対向するように且つ一方向に沿うように配置され、当該一方向における一方の端部に第１の側辺を有し他方の端部に第２の側辺を有するとともに、当該一方向に沿う領域が当該パネルから離れる方向に向かって突出して形成され、当該第１の側辺側がユーザにより持ち上げられることで、当該第２の側辺が当該パネルの前記突出部に向かって進出するとともに当該突出部に突き当たり、当該第２の側辺にて当該パネルを押圧するタブと、を備える飲料缶である。      
【０００８】
ここで、前記パネルを正面から且つ前記タブが取り付けられている側から眺めた場合において、当該タブの前記第２の側辺は、前記一方向と直交する方向に沿うように形成されているとともに直線状に形成されていることを特徴とすることができる。
また、前記タブを前記パネルに固定するリベットが更に設けられ、前記パネルを正面から且つ前記タブが取り付けられている側から眺めた場合において、当該タブの前記第２の側辺は、前記一方向と直交する直線であって前記リベットを通る直線よりも前記第１の側辺側に設けられていることを特徴とすることができる。
さらに、前記タブの前記第１の側辺には、切り欠きが形成されていることを特徴とすることができる。
【発明の効果】
【０００９】
本発明によれば、タブの曲がりを生じさせずに缶蓋のうちの開口となる部分を飲料缶の内部に深く押し込むことが可能な缶蓋等を提供することができる。
【図面の簡単な説明】
【００１０】
【図１】本実施の形態が適用される飲料缶を説明するための図である。
【図２】タブの他の構成例を示した図である。
【図３】突出部の他の構成例を説明するための図である。
【図４】タブが取り付けられる前のパネルの状態を示した図である。
【図５】タブがユーザにより操作された際に生じるパネルの破断を説明するための図である。
【図６】タブがユーザにより操作された際のタブの動きを示した図である。
【図７】タブがユーザにより操作された際のタブの動きを示した図である。
【図８】飲料缶の比較例を示した図である。
【図９】比較例におけるタブがユーザにより操作された際のタブの状態を示した図である。
【図１０】タブが突出部を押圧する際の状態を側方から眺めた場合の図である。
【図１１】飲料缶の他の構成例を示した図である。
【図１２】タブの他の構成例を示した図である。
【発明を実施するための形態】
【００１１】
以下、添付図面を参照して、本発明の実施の形態について詳細に説明する。
図１は、本実施の形態が適用される飲料缶１００を説明するための図である。なお同図（Ａ）は飲料缶１００を上方から眺めた場合の図であり、同図（Ｂ）は同図（Ａ）の矢印ＩＢ方向からタブ５００およびパネル４００を眺めた場合の図である。また、同図（Ｃ）は同図（Ａ）の矢印ＩＣ方向からタブ５００を眺めた場合の図である。
【００１２】
本実施形態における飲料缶１００は、同図（Ａ）に示すように、上部に開口を有するとともに下部に底部を有し且つ筒状に形成された容器本体（缶胴、缶本体）２００と、容器本体２００の開口に取り付けられ容器本体２００の開口を塞ぐ缶蓋３００とを有している。なお、飲料缶１００の内部には、清涼飲料、炭酸飲料、アルコール飲料などの飲料が充填（収容）されている。
【００１３】
缶蓋３００は、円盤状に形成され基板として機能するパネル４００を有している。ここで、このパネル４００には、その表面にスコア線（切り裂き線、弱化線）４１０が形成されている。さらに、パネル４００のうちのスコア線４１０により囲まれた領域内であってパネル４００の表面には、半球状に形成され飲料缶１００の外側方向に向かって突出した突出部４２０が形成されている。また、パネル４００には、パネル４００に対向するように配置されユーザにより操作されるタブ５００が取り付けられている。ここで、このタブ５００は、パネル４００のうちのスコア線４１０により囲まれた領域に重なるように設けられている。このため、本実施形態では、パネル４００のうちの飲み口となる部分が汚れにくくなっている。
【００１４】
また、本実施形態の構成では、例えば直径が２〜３ｃｍ程度の小径の飲料缶１００であったとしても、開口の面積を確保でき、また、タブ５００の大きさを確保できるようになっている。現在、広く流通している飲料缶（長円状または矩形状のタブが取り付けられた飲料缶）においては、タブを設置するためのタブ用スペース、および、開口を形成するための開口用スペースの二つのスペースを確保する必要が生じる。このため、現在流通している飲料缶にて、飲料缶の直径を小さくする場合は、タブ用スペース、および、開口用スペースの何れか又は両者を小さくする必要が生じる。一方で、本実施形態の構成では、タブ用スペースおよび開口用スペースが上下に重なった状態で設けられるため、タブ用スペースおよび開口用スペースを小さくせずに、飲料缶１００の直径を小さくすることができる。
【００１５】
なお、上記では説明を省略したが、パネル４００（缶蓋３００）は、いわゆる巻き締めによって容器本体２００に固定されており、図１（Ａ）に示すように、パネル４００と容器本体２００との接合部には巻き締め部２５０が形成されている。ここで、この巻き締め部２５０は、環状に形成されている。また、巻き締め部２５０は、パネル４００の表面（タブ５００が取り付けられる面）よりも上方に配置されている。
【００１６】
ここで、タブ５００は、一端部５５および他端部５６を有し、ユーザにより他端部５６側が操作されることで、パネル４００に設けられた突出部４２０を押圧する。より具体的に説明すると、ユーザによって他端部５６側が持ち上げられることで一端部５５側がパネル４００に接近し、この一端部５５側がパネル４００に設けられた突出部４２０を押圧する。これにより、スコア線４１０が形成されている箇所にてパネル４００の破断が生じ、パネル４００に開口が形成される。なお、本実施形態における缶蓋３００は、飲み口として機能する開口がパネル４００に形成された後もタブ５００がパネル４００に取り付けられた状態を維持するいわゆるステイオンタイプの缶蓋である。
【００１７】
タブ５００についてさらに説明すると、本実施形態におけるタブ５００は、同図（Ａ）に示すように、円盤状に形成されたパネル４００の略中央部からパネル４００の外周縁に向かう一方向（以下、この一方向を「タブ配置方向」と称することがある）に沿って配置されている。さらに、タブ５００は、パネル４００の中央部側に上記一端部５５を有しパネル４００の外周縁側に上記他端部５６を有している。
【００１８】
また、タブ５００は、タブ５００の他端部５６側に配置されるとともにタブ配置方向と直交（交差）する方向に沿って配置された第１の側辺５１と、タブ５００の一端部５５側に配置されるとともにタブ配置方向と直交する方向に沿って配置された第２の側辺５２とを有している。また、タブ５００は、タブ配置方向に沿うように配置された第３の側辺５３と、同じくタブ配置方向に沿うように配置され第３の側辺５３とは反対側に配置された第４の側辺５４とを有している。なお、第３の側辺５３および第４の側辺５４は互いに接近するように湾曲した状態で形成されている。
【００１９】
また、タブ５００には、同図（Ａ）に示すように、第３の側辺５３と第２の側辺５２とが交わる箇所、および、第４の側辺５４と第２の側辺５２とが交わる箇所に、突出片５７が設けられている。ここで、二つ設けられたこの突出片５７の各々は、第２の側辺５２から突出するように設けられている。付言すると、第１の側辺５１が設けられている側とは反対側に突出するように設けられている。さらに説明すると、二つ設けられた突出片５７は、タブ配置方向と直交する方向において互いにずらされた状態で配置されている。また、二つの突出片５７の間には間隙が形成されている。なお、本実施形態では、タブ５００のうちの突出片５７の部分が、リベット２６０によってパネル４００に固定されている。
【００２０】
さらに、本実施形態におけるタブ５００では、同図（Ａ）、（Ｂ）に示すように、タブ５００の中央部（タブ配置方向と直交する方向における中央部）に、タブ５００の基部５１０から突出した突出部５２０が設けられた状態となっている。付言すると、本実施形態では、タブ５００の基部５１０のうちのタブ配置方向に沿って配置された長尺状の領域がパネル４００から離れる方向に向かって突出して形成され、この突出により、タブ５００に対して突出部５２０が形成された状態となっている。ここで、タブ側突出部の一例としてのこの突出部５２０は、パネル４００から離れる方向に向かって突出するように設けられているとともに、タブ配置方向に沿って配置されている。また、この突出部５２０は、タブ５００の第２の側辺５２から第１の側辺５１にかけて設けられている。
【００２１】
なお、このように突出部５２０を第１の側辺５１まで形成した場合、ユーザはタブ５００の操作を行いやすくなる。本実施形態では、タブ５００が操作される際、タブ５００の他端部５６側がユーザにより持ち上げられるが、突出部５２０が第１の側辺５１まで形成されていると、タブ５００の第１の側辺５１とパネル４００との間隙が形成される。そしてこの場合、ユーザはこの間隙に指を入れることができるようになり、ユーザは、タブ５００の他端部５６側の持ち上げを行いやすくなる。
【００２２】
また、突出部５２０は、平板状に形成された基部５１０の一方の面側から他方の面側に向かって基部５１０を押圧することにより形成され、突出部５２０は、この他方の面から突出するように設けられている。さらに説明すると、本実施形態では、突出部５２０が形成される結果、タブ５００の上記一方の面側に、タブ配置方向に沿う溝５３０（図１（Ｂ）参照）が形成された状態となっている。付言すると、本実施形態におけるタブ５００では、突出部５２０が設けられている面とは反対側の面に、タブ配置方向に沿う溝５３０が形成された状態となっている。
【００２３】
本実施形態におけるタブ５００では、このようにタブ配置方向に沿った突出部５２０（溝５３０）が形成される。このため、本実施形態におけるタブ５００は曲げ剛性が高められている。より具体的に説明すると、パネル４００に開口が形成される際には上記のとおりタブ５００の他端部５６側がユーザにより持ち上げられるが、この際、タブ５００にはタブ５００を曲げようとする荷重が作用することとなる。ここで本実施形態では、上記のように突出部５２０が形成され、タブ５００の曲げ剛性が高められている。このため、本実施形態では、タブ５００を曲げようとする荷重がタブ５００に作用してもタブ５００の曲がりが生じにくくなっている。
【００２４】
なお、上記では説明を省略したが、本実施形態では、タブ５００に形成された溝５３０の幅を、パネル４００に形成された突出部４２０の径よりも大きくしている。これは、第２の側辺５２が突出部４２０を押圧して開口を形成する時、タブ５００の突出片５７の屈曲部周辺に大きな応力を受荷する。このとき、タブ５００の溝５３０は湾曲形状であることにより剛性を有するが、溝５３０から突出片５７に延びる延長部は平面状であるため剛性は劣る。つまり、タブ５００の形状として、剛性の劣る前記延長部の長さは短い方が望ましくなる。このとき、突出片５７の位置は変わらないので、溝５３０の幅が大きければ、前記延長部は短くなり、溝５３０の幅が小さければ、前記延長部は長くなる。そのため、タブ５００に形成された溝５３０の幅を、パネル４００に形成された突出部４２０の径よりも大きくすることが望ましい。
また、本実施形態では、タブ５００に形成された溝５３０の幅を、パネル４００に形成された突出部４２０の径よりも大きくすることで、同図（Ａ）、（Ｂ）に示すように、溝５３０の内部に、パネル４００に形成された突出部４２０の一部を収める構成としている。ここで、例えば、溝５３０の幅が小さい場合、溝５３０の内部に突出部４２０を収めることが難しくなり、タブ５００と突出部４２０とが干渉してしまう。なお、このような干渉は、第２の側辺５２を図中他端部５６側（図１（Ａ）における下方向）に後退させることで避けることができるようになる。仮に、タブ５００を回転させたときの第２の側辺５２の軌跡が突出部４２０の中心付近を通る場合、前記側辺５２は突出部４２０を頂部から缶内に押込むため、突出部４２０を缶内に深く曲げ入れることができる。しかし、第２の側辺５２を図中他端部５６側（図１（Ａ）における下方向）に後退させると、前記側辺５２の軌跡は、突出部４２０の側面を通り、突出部４２０の中心付近を通らないため、突出部４２０を缶内に深く曲げ入れることができない。そしてこの場合、パネル４００に形成される開口が小さいものになってしまう。
【００２５】
なお、同図（Ｃ）に示すように、上記突出部５２０の基部５１０からの突出量は一定ではなく（溝５３０の深さは一定ではなく）、突出部５２０のうちタブ５００の一端部５５と他端部５６との間に位置する部位（以下、「中間部位」と称することがある）の突出量は、一端部５５における突出量、他端部５６における突出量よりも小さくなっている。ここで、上記中間部位は、タブ５００がユーザにより操作されタブ５００が約１８０°回転した際（反転した際）に（詳細は後述）、パネル４００の周縁に位置する巻き締め部２５０に対峙するようになる。この際に、中間部位の突出量が小さくなっていると、タブ５００をより多く回転させることができる。そしてこの場合、パネル４００に形成される開口をより大きなものとすることができる。なお、本実施形態では、タブ５００が巻き締め部２５０に対峙する場合を例示するが、飲料缶１００の直径が大きい場合は、反転したタブ５００の第１の側辺５１側がパネル４００の周縁内（巻き締め部２５０よりも内側）に収まるようになり、この場合は、反転したタブ５００はパネル４００の周縁に対峙しないようになる。
【００２６】
なお、タブ５００に形成された突出部５２０（溝５３０）は、上記にて説明した形態に限られない。
例えば、図２（タブ５００の他の構成例を示した図）の（Ａ）に示すように、突出部５２０の頂部５２１を平坦状にするとともにこの頂部５２１から下方に延びる二つの側部５２２を設けることができる。ここで、この形態の場合、平坦状の頂部５２１と側部５２２とが交わる箇所のそれぞれに角部が形成される。付言すると、この形態の場合、二つの角部が形成される。なお、この二つの角部の各々の角度は、同じ角度とすることもできるし、同図（Ｂ）に示すように、異なる角度とすることもできる。
【００２７】
また、図１にて示した突出部５２０は、図２（Ｃ）に示すように（図１（Ｂ）も参照）、頂部５２１と一方の側部５２２とが交わる箇所、頂部５２１と他方の側部５２２とが交わる箇所に曲率を付与した形状であったが、図２（Ｄ）に示すように、突出部５２０の全体に曲率を付与し突出部５２０の断面形状を半円状にすることもできる。また、図１にて示した突出部５２０では、図２（Ｃ）に示すように、頂部５２１と一方の側部５２２とが交わる箇所の曲率、および、頂部５２１と他方の側部５２２とが交わる箇所の曲率が同じであったが、図２（Ｅ）に示すように、曲率を異ならせることもできる。
【００２８】
さらに、図２（Ｆ）に示すように、突出部５２０の頂部５２１を平坦状に形成するとともにこの頂部５２１に対してタブ配置方向に沿った凹凸を形成することもできる。付言すると、突出部５２０の頂部５２１の断面形状を波形とすることもできる。また、頂部５２１に対してタブ配置方向に沿った突出部５２３を設けたり（同図（Ｇ）参照）、頂部５２１に対してタブ配置方向に沿った凹部５２４を設けたりすることもできる（同図（Ｈ）参照）。また、同図（Ｉ）、（Ｊ）に示すように、断面形状において、突出部５２０の頂部５２１をＶ字状とすることもできる。なお、同図（Ｉ）は、頂部５２１を外側方向に突出させることでＶ字状とし、同図（Ｊ）は、頂部５２１を内側方向に突出させることでＶ字状とした場合を示している。
【００２９】
また、パネル４００に形成された突出部４２０についても、図１にて説明した構成以外の構成とすることができる。図１にて示した突出部４２０は、図３（突出部４２０の他の構成例を説明するための図）の（Ａ）にも示すように、側方から眺めた場合の断面形状が半球状であったが、突出部４２０は、例えば、同図（Ｂ）に示すように、円錐状に形成することもできる。なお、図示は省略するが、突出部４２０は、半球状、円錐状などに限らず、円柱状（円筒状）や角柱状に形成することもできる。また、円柱の上面に前記の半球や円錐を載せた形状にすることもできる。
【００３０】
図１を再度参照し、タブ５００についてさらに説明すると、同図（Ａ）に示すように、タブ５００の第１の側辺５１には、切り欠き５１Ａが形成されている。ここで本実施形態では、タブ５００が操作されパネル４００に開口が形成される際、タブ５００の第１の側辺５１とパネル４００との間に形成された間隙にユーザの指が入れられたうえでタブ５００の他端部５６側が持ちあげられる。この際、第１の側辺５１に切り欠き５１Ａが形成されていると、上記間隙に指を入れやすくなり、ユーザは、タブ５００の他端部５６側の持ち上げを行いやすくなる。さらに説明すると、本実施形態における構成では、第１の側辺５１の近くに巻き締め部２５０が位置し、上記間隙に指を入れにくくなっている。このため、本実施形態では、切り欠き５１Ａを形成し、ユーザの指が上記間隙に入りやすい構成としている。
【００３１】
図４は、タブ５００が取り付けられる前のパネル４００の状態を示した図である。
本実施形態におけるパネル４００では、上記のとおり、その表面にスコア線４１０が形成されている。さらに、パネル４００のうちのスコア線４１０により囲まれた領域内には、上記のとおり、半球状に形成され飲料缶１００の外側方向に向かって突出した突出部４２０が形成されている。
【００３２】
ここで、スコア線４１０は、パネル４００のうちのタブ５００により押圧される部位（突出部４２０が設けられている部位）を囲むように形成されている。また、スコア線４１０は、パネル４００の表面に形成された溝により構成されており、パネル４００の破断を誘導する役割を果たす。付言すると、スコア線４１０は、パネル４００の強度を部分的に弱める役割を果たしており、タブ５００によりパネル４００が押圧された際に、このスコア線４１０にてパネル４００の破断が生じるようになる。
【００３３】
また、パネル４００の表面には、タブ５００の突出片５７（図１（Ａ）参照）に形成された貫通孔（不図示）に通された後に押し潰され上記リベット２６０（図１（Ａ）参照）となる第１突起４３１および第２突起４３２が設けられている。さらに、本実施形態のパネル４００には、突出部４２０よりもパネル４００の外周縁側、且つ、スコア線４１０により囲まれている領域内に、パネル４００の補強を行う環状の補強用ビード４４０が設けられている。
【００３４】
ここで、スコア線４１０についてさらに説明すると、本実施形態のスコア線４１０は、略環状に形成されている。また、スコア線４１０は、パネル４００の破断が最初に開始される始点４１１およびパネル４００の破断が終了する終点４１２を有している。なお、始点４１１と終点４１２との間には、スコア線４１０が形成されていないスコア線非形成部４１３が存在している。
【００３５】
ここで、タブ５００がユーザにより操作されタブ５００による突出部４２０の押圧が開始されると、パネル４００のうちのスコア線４１０よりも内側に位置する部位（以下、「内側部位」と称することがある）が飲料缶１００の内部方向に押し込まれ、また、このとき、パネル４００のうちのリベット２６０（図１（Ａ）参照）が位置する箇所が飲料缶１００の外側方向に向けて引っ張られる。これによりスコア線４１０に対してせん断力が作用するようになり、スコア線４１０が設けられている箇所にてパネル４００の破断が発生する。
【００３６】
ここで、図５を参照しパネル４００の破断について詳細に説明する。
図５は、タブ５００がユーザにより操作された際に生じるパネル４００の破断を説明するための図である。なお、本図では、タブ５００の図示を省略している。
タブ５００がユーザにより操作されタブ５００による突出部４２０の押圧が開始されると、まず、同図（Ａ）に示すように、スコア線４１０の始点４１１にてパネル４００の破断が生じるとともに、一方のリベット２６０（以下、このリベットを「第１リベット２６０Ａ」と称する）と突出部４２０との間に位置する部位にてパネル４００の破断が起こる。その後、同図（Ｂ）に示すように、円形の突出部４２０の周囲に沿ってパネル４００の破断が進行する。
【００３７】
次いで、他方のリベット２６０（以下、このリベットを「第２リベット２６０Ｂ」と称する）と突出部４２０との間に位置する部位にてパネル４００の破断が起こる。そして最後に、同図（Ｃ）に示すように、補強用のビード４４０の外周縁に沿ってパネル４００の破断が進行し、終点４１２にてパネル４００の破断が終了する。ここで、本実施形態では、スコア線４１０の始点４１１から終点４１２に向かってパネル４００の破断が進行するのに伴い、上記内側部位が飲料缶１００の内部へ進入する。付言すると、上記スコア線非形成部４１３が設けられている箇所を回転中心として、内側部位は、回転を行いながら飲料缶１００の内部へ進入する。これにより、パネル４００のうちの内側部位が位置していた箇所に開口が形成される。
【００３８】
なお、上記では説明を省略したが、スコア線非形成部４１３は、突出部４２０の近傍に配置されている。付言すると、スコア線非形成部４１３は、パネル４００のうちのタブ５００により押圧される部位の近傍に配置されている。このため、本実施形態では、突出部４２０がスコア線非形成部４１３から離れた箇所に配置されている場合に比べ、飲料缶１００の内部への内側部位の入り込み量が多くなり、パネル４００に形成される開口が大きくなる。
【００３９】
なお、本実施形態では、パネル４００に形成された突出部４２０は、図４に示すように、寸法Ｌだけ、第１突起４３１（第１リベット２６０Ａ）に寄せられた状態で配置されている。さらに説明すると、突出部４２０は、第１突起４３１（第１リベット２６０Ａ）と第２突起４３２（第２リベット２６０Ｂ）とを通る直線の中点よりも第１突起４３１側に配置されている。さらに説明すると、突出部４２０は、スコア線４１０のうちの第２突起４３２と突出部４２０との間に位置する部位よりも、スコア線４１０のうちの第１突起４３１と突出部４２０との間に位置する部位に寄せられた状態で配置されている。このため、本実施形態では、タブ５００によるパネル４００の押圧が開始されると、上記のとおり、まず、第１突起４３１側にてパネル４００の破断が生じるようになる。
【００４０】
次に、タブ５００がユーザにより操作された際のタブ５００の動きについて説明する。
図６、図７は、タブ５００がユーザにより操作された際のタブ５００の動きを示した図である。
ユーザによるタブ５００の操作が開始される際には、まず、図６（Ａ）に示すタブ５００の他端部５６（第１の側辺５１）とパネル４００との間にユーザの指が挿入される。なお上記のとおり、タブ５００の第１の側辺５１には切り欠き５１Ａが形成されており、ユーザは、タブ５００の他端部５６とパネル４００との間への指の挿入を行いやすくなっている。
【００４１】
その後、同図（Ｂ）に示すように、タブ５００の他端部５６側がユーザにより持ち上げられる。この持ち上げが行われると、同図に示すように、突出片５７の根元にてタブ５００が曲がるようになるとともに、タブ５００の他端部５６側が上方に変位する。また、タブ５００の一端部５５側に位置する第２の側辺５２がパネル４００に形成された突出部４２０に向かって進出するとともに突出部４２０に突き当たり、第２の側辺５２がこの突出部４２０を押圧する。
なお、本実施形態では、図６（Ａ）に示すように第２の側辺５２が直線状に形成されているが、第２の側辺５２に対して、図１２（タブ５００の他の構成例を示した図）に示すように切り欠きを設けることもできる。付言すると、第２の側辺５２は、第１の側辺５１が位置する側に向かって凹むように湾曲した状態で形成することもできる。第２の側辺５２を直線状に形成した場合は、第２の側辺５２と突出部４２０とが点接触となり、タブ５００のうちの突出部４２０に接触する箇所に応力が集中し、この接触する箇所にて変形などが生じるおそれがある。図１２のように切り欠きを形成した場合は、タブ５００と突出部４２０とが線接触となり、上記応力の集中を避けることができる。なお、第２の側辺５２が直線状に形成されている場合、突出部４２０のうちの第２の側辺５２が接触する箇所を平面状とすることでも、タブ５００と突出部４２０とを線接触で接触させることができるようになる。なお、上記では説明を省略したが、本実施形態では、タブ５００のパネル４００に対する角度が約３０°となったときに、第２の側辺５２が突出部４２０に接触する構成となっている。
【００４２】
第２の側辺５２が突出部４２０を押圧すると、上記のとおりスコア線４１０にてパネル４００の破断が起こる。これにより、内側部位が飲料缶１００の内部へ入り込み、パネル４００に開口が形成される。その後、タブ５００の更なる操作がユーザにより行われ、図７（Ａ）、（Ｂ）に示すように、タブ５００が約１８０°回転した状態（反転した状態）となる。
【００４３】
この状態となると、同図（Ａ）に示すとおり、タブ５００の第２の側辺５２が、パネル４００に形成された開口を通じて飲料缶１００の内部に進入し、パネル４００の突出部４２０を更に押圧した状態となる。そしてこの場合、内側部位が飲料缶１００の内部に更に深く進入した状態となる。
詳細に説明すれば、パネル４００に突出部４２０がない場合、タブ５００の第２の側辺５２が缶内に進入した深さだけパネルを押圧して開口するため、大きな開口は望めない。しかし、パネル４００に突出部４２０を設けることにより、タブ５００の第２の側辺５２が缶内に進入した深さに突出部４２０の高さを加えた深さの開口となる。なお、図７（Ａ）、（Ｂ）を見てわかるように、当初はタブ５００の第２の側辺５２が突出部４２０の頂部に当接押圧して開口を開始するが、開口の進行につれて、開口片が傾くことにより第２の側辺５２と突出部４２０の頂部が当接しなくなってしまう。そこで、本実施形態では第２の側辺５２との当接する箇所が突出部４２０の側辺部に移動しながら押圧し続けることができるように、パネル４００の突出部４２０とタブ５００の第２の側辺５２を配置するようにしている。このことにより、開口角度をさらに大きくし、大きな開口が形成されるようにしている。
このように本実施形態では、パネル４００に突出部４２０が形成されており、この突出部４２０が設けられることによって内側部位が飲料缶１００の内部により深く進入する。そしてこの場合、パネル４００の形成される開口がより大きなものとなる。
なお、上記では説明を省略したが、タブ５００の縁部のうち第２の側辺５２に沿って曲げ加工を施しこの縁部を折り返したり、タブ５００の縁部のうち第２の側辺５２に沿ってカール加工を施したりすることもできる。この場合、第２の側辺５２が突出部４２０を押圧した際に生じうるタブ５００の変形が生じにくくなる。なお、上記折り返しやカール加工は、パネル４００側に向かってタブ５００が曲がるようにタブ５００を変形させることで行うこともできるし、パネル４００側とは反対側に向かってタブ５００が曲がるようにタブ５００を変形させることで行うこともできる。
【００４４】
なお、本実施形態の飲料缶１００では、タブ５００を一方向に向けて約１８０°回転させることより、ユーザは飲料缶１００の内部の飲料を飲むことが可能となる。付言すると、一方向に回転させたタブ５００を逆方向に回転させないでも（初期状態に戻さないでも）、十分な大きさの開口が形成される。このため、ユーザは簡単な操作で内部の飲料を飲むことができるようになる。さらに説明すると、本実施形態では、開口に必要な操作がタブ５００を引き起こす操作だけでよいため、開口の形成に必要な操作が簡便になる。
【００４５】
なお、上記にて説明したが、本実施形態では、突出部５２０（図１（Ｃ）参照）の基部５１０からの突出量は一定ではなく、突出部５２０のうちタブ５００の一端部５５と他端部５６との間に位置する部位（中間部位）の突出量が、一端部５５における突出量、他端部５６における突出量よりも小さくなっている。そして本実施形態では、タブ５００がユーザにより操作されタブ５００が約１８０°回転した際（反転した際）、図７（Ｂ）に示すように、上記中間部位が、巻き締め部２５０に対峙するようになる。この場合、タブ５００をより多く回転させることができ、パネル４００に形成される開口をより大きなものとすることができる。
【００４６】
図８は、飲料缶１００の比較例を示した図である。なお、上記にて説明した実施形態と同様の機能を有する部分については上記と同じ符号を付している。また、同図（Ａ）は比較例の飲料缶１００を上方から眺めた場合の図であり、同図（Ｂ）は同図（Ａ）の矢印ＶＩＩＩＢ方向からタブ５００およびパネル４００を眺めた場合の図である。また、同図（Ｃ）は同図（Ａ）の矢印ＶＩＩＩＣ方向からタブ５００を眺めた場合の図である。
【００４７】
同図に示す比較例では、タブ５００が平板状に形成されている。また、本比較例では、パネル４００の表面に沿うようにタブ５００が配置されているとともに、パネル４００の表面にタブ５００が接触した状態で設けられている。また、本比較例では、二つ設けられた突出片５７に加え、この突出片５７の間に、第２突出片５８が設けられている。なお、この比較例におけるタブ５００では、曲げ剛性を高めるため、第３の側辺５３の縁部、第４の側辺５４の縁部、第２突出片５８の縁部に対してカール加工を施している。
【００４８】
図９は、比較例におけるタブ５００がユーザにより操作された際のタブ５００の状態を示した図である。付言すると、図９は、図８（Ａ）のＩＸ−ＩＸ線における断面におけるタブ５００の状態を示している。
本比較例でも、タブ５００がユーザにより操作される際には、タブ５００の他端部５６側がユーザにより持ち上げられる。これにより、パネル４００のうちのスコア線４１０により囲まれた領域がタブ５００の第２突出片５８により押圧される。そして第２突出片５８による押圧がなされると、スコア線４１０にてパネル４００の破断が起こり、パネル４００に開口が形成される。
【００４９】
ところで、この比較例では、タブ５００がパネル４００に沿うように且つパネル４００に接した状態で配置されているために、タブ５００の他端部５６側がユーザにより持ち上げられると、図９の矢印９Ａに示すように、第２突出片５８の図中下面に対し、第２突出片５８を図中上方に向けて押圧する押圧荷重が作用するようになる。また、タブ５００の他端部５６側にも、矢印９Ｂに示すように、この他端部５６側を図中上方に向けて押圧する押圧荷重が作用するようになる。この結果、この比較例では、第２突出片５８の根元において、タブ５００の曲がりが生じやくなる。そしてこのような曲がりが生じると、パネル４００の開口が形成されない事態が生じたり、形成される開口が小さくなったりする。
【００５０】
一方で、本実施形態における構成では、図１０（タブ５００が突出部４２０を押圧する際の状態を側方から眺めた場合の図）の矢印１０Ａに示すように、タブ５００の第２の側辺５２に対してパネル４００の突出部４２０から荷重が加わるようになるが、この荷重は、タブ５００の長手方向に沿って作用する荷重矢印１０Ｂの半径方向の分力である。付言すると、矢印１０Ｂはタブ５００の長手方向に沿ってタブ５００を圧縮させる荷重となる。本実施形態と比較例の大きな違いは、荷重を受ける方向の違いにある。本実施形態は、タブ５００の長手方向に沿って荷重がかかるが、比較例では、長手方向と直角方向に荷重がかかる。また、タブ５００は長手方向と長手方向と直角方向では強度が異なるため、さらに言えば、タブ５００は長手方向には曲がりにくいが長手方向と直角方向には曲がりやすいため、本実施形態のほうが比較例に比べ剛性を有すると言える。
【００５１】
さらに説明すると、本実施形態における構成では、図１（Ｂ）などに示すように、タブ５００のうちのパネル４００（突出部４２０）を押圧する部位（第２の側辺５２）が、パネル４００から浮いた状態となっている。付言すると、本実施形態では、タブ５００のうち、リベット２６０により固定され回転の支点となる部位よりも、上方に（パネル４００から離れた箇所に）、パネル４００の押圧を行う第２の側辺５２が設けられている。
【００５２】
このため、本実施形態では、タブ５００がパネル４００に接触しタブ５００がパネル４００を押圧した際、タブ５００はパネル４００に対し角度を有した状態で配置されるようになる（図１０参照）。そして、この場合は、上記のとおり、パネル４００からタブ５００に作用する荷重が、タブ５００を圧縮させようとする荷重となる。この結果、本実施形態における構成では、上記の比較例に比してタブ５００の曲がりが生じにくくなる。
【００５３】
なお、上記のとおり、タブ５００のうちのパネル４００を押圧する部位をパネル４００から浮かしておくことで、タブ５００の曲がりが生じにくくなるが、タブ５００における曲がりをさらに抑制するには、図８にて示した第２突出片５８のような突出片を設けない構成することが好ましい。具体的には、図１などで示した構成のように、第２の側辺５２から突出する突出片を設けない構成とすることが好ましい。さらに説明すると、図１（Ａ）の第２の側辺５２のように、パネル４００を正面から且つタブ５００が取り付けられている側から眺めた場合において、タブ５００のうちのパネル４００を押圧する部位は、直線状に且つタブ配置方向と直交する方向に沿うように形成しておくことが好ましい。
【００５４】
また、タブ５００における曲がり防止には、パネル４００を正面から且つタブ５００が取り付けられている側から眺めた場合における第２の側辺５２の位置を、図１（Ａ）に示すように、二つのリベット２６０を通る直線ＳＬよりも第１の側辺５１（他端部５６）側とすることが好ましい。ここで、第２の側辺５２が、図１１（飲料缶１００の他の構成例を示した図）の（Ａ）に示すように、他端部５６が設けられている側ではなく、他端部５６が設けられている側とは反対側に設けられている場合、タブ５００のうち直線ＳＬが通る部分（符号１２Ａ参照）あたりにてタブ５００の曲がりが生じやすくなる。なお、図１１では、突出部４２０の図示を省略している。また、図１１（Ａ）は飲料缶１００を上方から眺めた場合の図（パネル４００を正面から且つタブ５００が取り付けられている側から眺めた場合の図）であり、同図（Ｂ）は同図（Ａ）の矢印ＸＩＢ方向からタブ５００およびパネル４００を眺めた場合の図である。
【符号の説明】
【００５５】
５１…第１の側辺、５１Ａ…切り欠き、５２…第２の側辺、２００…容器本体、２６０…リベット、３００…缶蓋、４００…パネル、４２０…突出部、５００…タブ、５２０…突出部、５３０…溝
【図１】
0005921146.tif 000002
【図２】
0005921146.tif 000003
【図３】
0005921146.tif 000004
【図４】
0005921146.tif 000005
【図５】
0005921146.tif 000006
【図６】
0005921146.tif 000007
【図７】
0005921146.tif 000008
【図８】
0005921146.tif 000009
【図９】
0005921146.tif 000010
【図１０】
0005921146.tif 000011
【図１１】
0005921146.tif 000012
【図１２】
0005921146.tif 000013